(57)【要約】【課題】親機、及び親機に対して階層的に無線接続され、間欠受信動作を行う複数段の子機からなる無線通信システムにおいて、他端末間通信のキャリア検出の繰り返しを防止し、それに伴う無駄な消費電力を削減する。【解決手段】子機３は、受信動作中に他端末間通信の電文を受信したとき（ＳＴ１→ＳＴ２：Yes→ＳＴ３：Yes）、当該電文中の段数情報及びルート情報を取得し（ＳＴ５）、スリープ時間テーブルを参照して、スリープ条件に適合するか否かを判断する（ＳＴ６）。適合する場合（ＳＴ６：Yes）、スリープ時間テーブルにより指定されている時間が経過するまでスリープし、間欠受信動作を停止する（ＳＴ７）。スリープ時間経過後に待機状態に戻り、間欠受信動作を再開する。【選択図】図５
2019186681.tif 000002
【特許請求の範囲】
【請求項１】
親機、及び親機に対して階層的に無線接続され、間欠受信動作を行う複数段の子機からなる無線通信システムであって、
各子機は、自端末の段数、電文フォーマットにおける送信元端末の段数、送信先端末の段数、ルート情報、及びスリープ時間の対応関係を表すスリープ時間テーブルを有し、
間欠受信動作中に他端末間通信の電文を受信したとき、当該電文中の送信元端末の段数、送信先端末の段数、及びルート情報と、自端末の段数とに基づいて、前記スリープ時間テーブルからスリープ時間を取得し、当該スリープ時間が経過するまでスリープして間欠受信動作を停止し、当該スリープ時間経過後に間欠受信動作を再開する、無線通信システム。
【請求項２】
請求項１に記載された無線通信システムにおいて、
前記スリープ時間は、前記電文の通知先までの残りの段数分の端末呼出時間と前記通知先までの通信ルート確立後のデータ通信時間の合計である、無線通信システム。
【請求項３】
請求項１又は２に記載された無線通信システムにおいて、
各子機は、自端末の送信タイミングを前記スリープ時間外にする、無線通信システム。
【発明の詳細な説明】
【技術分野】
【０００１】
本発明は無線通信システムに関する。
【背景技術】
【０００２】
親機、及び親機に対して階層的に無線接続される複数段の子機からなり、子機で取得された監視情報（ガスメータや水道メータの検針値、ガス漏れ警報や電池残量低下警報等）を親機がセンタ装置に通知する無線通信システムがある（特許文献１）。
【０００３】
この無線通信システムにおいて、「親機，１段目子機，２段目子機，・・・，Ｎ段目子機」（Ｎは３以上の整数）により構成される無線通信システム内の無線通信は特定小電力無線などを用いて行う。また、親機−センタ装置間の通信は無線や有線の商用通信回線を介して行う。
【０００４】
各子機にはガスメータ、水道メータ、ガス漏れ検知器等のセンサが接続されており、それらのセンサで生成された監視情報を取得し、その監視情報を含む電文を通信ルート上の上位（上段）の子機経由で、すなわち上位の子機を中継子機として親機に通報する多段中継通信を行う。
【０００５】
子機は、通信時以外は消費電流を低減させるため、間欠受信動作（例えば１０秒間の待機状態と３５ミリ秒間の受信動作の繰り返し）を行い、その際、同じ無線チャンネルの電波の有無及び、その電波の電文が自端末宛か否かの判断をし、自端末宛でなければ受信動作を終了し、待機状態に戻っている。
【０００６】
より詳しくは、間欠受信動作時に同じ無線チャンネルの電波がなければ、キャリア検出なしと判断して短時間で動作終了して待機状態に戻り、キャリア検出ありの場合は、受信動作を継続してデータの取り込みを行い、自端末宛か否かの判断（送信先ＩＤのチェック）を実施する。
【先行技術文献】
【特許文献】
【０００７】
【特許文献１】特開２００８−３１２０６２号公報
【発明の概要】
【発明が解決しようとする課題】
【０００８】
しかしながら、従来の無線通信システムでは、キャリア検出ありの場合、それが他端末宛の電文の通信、すなわち他端末間通信の電文であった場合でも、受信動作時間はキャリア検出なしの場合に比べ長くなってしまう。また、中継段数が多い場合、他端末間通信は開始から終了までのトータル通信時間の方が自端末の間欠受信周期より長く継続するため、間欠受信動作時に複数回キャリア検出することになり、そのたびに受信動作時間が延びてしまうので、無駄な消費電力が発生している。
【０００９】
本発明は、このような問題を解決するためになされたものであり、その目的は、親機、及び親機に対して階層的に無線接続され、間欠受信動作を行う複数段の子機からなる無線通信システムにおいて、他端末間通信のキャリア検出の繰り返しを防止し、それに伴う無駄な消費電力を削減することである。
【課題を解決するための手段】
【００１０】
本発明は、親機、及び親機に対して階層的に無線接続され、間欠受信動作を行う複数段の子機からなる無線通信システムであって、各子機は、自端末の段数、電文フォーマットにおける送信元端末の段数、送信先端末の段数、ルート情報、及びスリープ時間の対応関係を表すスリープ時間テーブルを有し、間欠受信動作中に他端末間通信の電文を受信したとき、当該電文中の送信元端末の段数、送信先端末の段数、及びルート情報と、自端末の段数とに基づいて、前記スリープ時間テーブルからスリープ時間を取得し、当該スリープ時間が経過するまでスリープして間欠受信動作を停止し、当該スリープ時間経過後に間欠受信動作を再開する、無線通信システムである。
【発明の効果】
【００１１】
本発明によれば、親機、及び親機に対して階層的に無線接続され、間欠受信動作を行う複数段の子機からなる無線通信システムにおいて、他端末間通信のキャリア検出の繰り返しを防止し、それに伴う無駄な消費電力を削減することができる。
【図面の簡単な説明】
【００１２】
【図１】本発明の実施形態に係る遠隔監視システムの概略構成を示す図である。
【図２】本発明の実施形態に係る遠隔監視システムにおける電文フォーマットを示す図である。
【図３】本発明の実施形態に係る遠隔監視システムにおける子機の概略構成を示すブロック図である。
【図４】子機に保存されているスリープ時間テーブルを示す図である。
【図５】子機の動作を示すフローチャートである。
【図６】４段目の子機が３段目の子機に電文を送信している時の各端末の動作状態を示す図である。
【図７】３段目の子機が２段目の子機に電文を送信している時の各端末の動作状態を示す図である。
【図８】２段目の子機が１段目の子機に電文を送信している時の各端末の動作状態を示す図である。
【図９】１段目の子機が親機に電文を送信している時の各端末の動作状態を示す図である。
【図１０】親機がセンタ装置に電文を送信している時の各端末の動作状態を示す図である。
【図１１】図６から図１０に示されている各端末の動作状態の流れを示すフローチャートである。
【図１２】図６から図１０における各端末の動作を示すシーケンス図である。
【発明を実施するための形態】
【００１３】
以下、本発明の実施形態について図面を参照して詳細に説明する。
〈遠隔監視システムの概略構成〉
図１は、本発明の実施形態に係る遠隔監視システムの概略構成を示す図である。
【００１４】
この遠隔監視システムは、例えば、ガスメータや水道メータの自動検針に用いられるものであって、センタ装置１と、親機２及び親機２に対して階層的に無線接続され多段構成（ここでは４段構成）の複数の子機（１段目子機Ａ〜Ｃ、２段目子機Ｄ〜Ｆ、３段目子機Ｇ〜Ｉ、４段目子機Ｊ〜Ｌ）からなる本発明の実施形態に係る無線通信システムとを有する。
【００１５】
親機２とセンタ装置１との間の通信は携帯電話回線などの商用通信回線を介して行う。また、親機２、１段目の子機Ａ〜Ｃ、２段目の子機Ｄ〜Ｆ、３段目子機Ｇ〜Ｉ、４段目子機Ｊ〜Ｌにより構成される無線通信システム内の通信は特定小電力無線などを用いて行う。なお、以下の説明では、各子機を区別しないときは子機３（図３参照）とする。また、親機と子機を区別しないときは端末とする。
【００１６】
子機３にはガスメータ、水道メータ、ガス漏れ検知器などのセンサが接続されており、それらのセンサで生成された監視情報を取得し、その監視情報を含む電文を上位（上段）の子機経由で、即ち上位の子機を中継子機として親機２に通知する。なお、ここでは、便宜上、２段目以下の各子機の通信相手端末となる上位の子機を１つずつ図示したが、通常、子機には通信相手端末となる上位の子機が複数登録されている。
【００１７】
〈電文フォーマット〉
図２は、本発明の実施形態に係る遠隔監視システムにおける電文フォーマットを示す図である。
【００１８】
図示のように、この電文フォーマット１００は、送信元ＩＤ１０１、送信先ＩＤ１０２、段数情報（送信元、送信先）１０３、ルート情報１０４、及び送信データ１０５を有する。ここで、段数情報（送信元、送信先）１０３以外は、従来の電文フォーマットに設けられていたものである。つまり、段数情報（送信元、送信先）１０３を有することがこの電文フォーマット１００の特徴である。
【００１９】
送信元ＩＤ１０１は、電文の送信元の装置（センタ装置１、親機２、子機３）の装置ＩＤであり、送信先ＩＤ１０２は、電文の送信先の装置（センタ装置１、親機２、子機３）のＩＤである。ここで、送信元の装置、送信先の装置とは、電文を直接的に送受信している装置である。
【００２０】
したがって、例えば４段目子機からセンタ装置１へ電文を通知する場合は、「送信元，送信先」は、順次「４段目子機，３段目子機」→「３段目子機，２段目子機」→「２段目子機，１段目子機」→「１段目子機，親機２」→「親機２，センタ装置１」となる。
【００２１】
また、例えばセンタ装置１から末端（４段目）の子機へ電文を通知する場合は、「送信元，送信先」は、順次「センタ装置１，親機２」→「親機２，１段目子機」→「１段目子機，２段目子機」→「２段目子機，３段目子機」→「３段目子機，４段目子機」となる。
【００２２】
段数情報（送信元、送信先）１０３は、電文の送信元端末の段数情報と電文の送信先端末の段数情報である。ここで、親機２の段数は０段である。また、段数は無線通信システムに関するものであり、センタ装置１とは無関係であるから、電文の送信元又は送信先がセンタ装置１の場合は、段数情報は所定の固定データとなる。
【００２３】
ルート情報１０４は無線通信システム内の電文のルートを表す情報である。
ルート情報１０４は、子機３からセンタ装置１へ電文を通知する場合は、電文を送信（中継を含む）する各端末が付加した一連の自端末の端末ＩＤからなる。すなわち、４段目子機からセンタ装置１へ電文を通知する場合、３段目子機、２段目子機、１段目子機、親機２、センタ装置１が順番に受信する電文に含まれているルート情報１０４は、それぞれ「４段目子機ＩＤ」、「４段目子機ＩＤ，３段目子機ＩＤ」、「４段目子機ＩＤ，３段目子機ＩＤ，２段目子機ＩＤ」、「４段目子機ＩＤ，３段目子機ＩＤ，２段目子機ＩＤ，１段目子機ＩＤ」、「４段目子機ＩＤ，３段目子機ＩＤ，２段目子機ＩＤ，１段目子機ＩＤ，親機ＩＤ」となる。
【００２４】
また、センタ装置１から子機３へ電文を通知する場合は、ルート情報１０４は、センタ装置１が付加する親機２から子機３までの中継端末を表す一連の端末ＩＤからなる。すなわち、センタ装置１から４段目子機へ電文を通知する場合、センタ装置１が付加するルート情報１０４は「親機ＩＤ，１段目子機ＩＤ，２段目子機ＩＤ，３段目子機ＩＤ，４段目子機ＩＤ」となる。
【００２５】
〈子機の概略構成〉
図３は、本発明の実施形態に係る遠隔監視システムにおける子機の概略構成を示すブロック図である。
【００２６】
図示のように、子機３は、制御部３１と、それぞれが制御部３１に接続された記憶部３２、無線送受信部３３、外部Ｉ／Ｆ（インタフェース）部３４、表示部３５、及び操作入力部３６を備えている。無線送受信部３３にはアンテナ３７が接続されている。
【００２７】
制御部３１は、例えばマイクロプロセッサ及びその周辺回路などで構成され、子機３全体の制御や演算処理等を行う。また、制御部３１は、記憶部３２内に記憶されているプログラム及びデータを処理することにより実現される手段として、他端末間通信検出手段３１１、段数情報・ルート情報取得手段３１２、スリープ条件判断手段３１３、スリープ制御手段３１４を備えている。
【００２８】
他端末間通信検出手段３１１は、間欠受信動作中に受信した電文に含まれている送信先ＩＤ１０２が他端末宛である（自端末宛でない）ことに基づいて、他端末間通信を検出する。段数情報・ルート取得手段３１２は、他端末間通信が検出されたとき、受信した電文に含まれている段数情報（送信元、送信先）１０３及びルート情報１０４を取得する。スリープ条件判断手段３１３は、他端末間通信が検出されたとき、後述するスリープ時間テーブル３２１を参照してスリープ条件に適合するか否かを判断する。スリープ制御手段３１４は、スリープ条件に適合すると判断されたとき、スリープ時間テーブル３２１で指定されているスリープ時間、間欠受信動作を停止させる。
【００２９】
さらに、制御部３１は、記憶部３２に記憶されているプログラム及びデータを処理し、無線送受信部３３を制御することにより、本発明に係る端末検索電文送信手段、端末検索電文受信手段、端末応答電文送信手段、端末応答電文受信などを実現する。
【００３０】
記憶部３２は、ＲＯＭなど不揮発性メモリ（書換可能なものも含む）、ＲＡＭなどの揮発性メモリからなる。そして、ＲＯＭには子機３を動作させるために必要な制御プログラムや、各種設定データなどが記憶されている。また、ＲＡＭには制御部３１が実行中の各プログラムや、それらの実行に必要な情報（端末ＩＤ、無線チャンネル、電界強度、自端末の段数）が記憶される。ここでは、記憶部３２に記憶されている設定データとして、スリープ時間テーブル３２１を図示した。
【００３１】
無線送受信部３３は、特定小電力無線などにより、他の子機３や親機２との間で無線通信を行う。外部Ｉ／Ｆ部３４にはガスメータ、水道メータ等の外部機器が接続される。表示部３５は、ＬＥＤなどで構成されており、子機３の動作状態などを表示するユーザＩ／Ｆである。操作入力部３６は、ボタンやスイッチ等からなり、子機３に対する所定の設定を入力するためのユーザＩ／Ｆである。
【００３２】
〈スリープ時間テーブル〉
図４は子機に保存されているスリープ時間テーブルを示す図である。
図示のように、スリープ時間テーブル３２１は、センタ装置への通信と末端子機への通信について、自端末の段数、受信した段数情報、スリープ条件、スリープ時間情報の対応関係が記述されている。
【００３３】
ここで、受信した段数情報は、受信した電文に含まれている段数情報（送信元、送信先）１０３であり、「⇒」の左が送信元、右が送信先を表している。また、スリープ時間は、間欠受信動作を停止させる時間である。ここで、ｔは端末呼出し時間、ａはルート確立後のデータ通信時間である。つまり、スリープ時間は、他端末間の通信が終了するまでの時間であって、センタ装置への通信の場合は、電文の通知先であるセンタ装置１までの残り段数分の端末呼出時間とルート確立後のデータ通信時間の合計であり、末端子機への通信の場合は、電文の通知先である末端子機までの残り段数分の呼出時間とルート確立後のデータ通信時間の合計である。
【００３４】
〈子機の受信動作〉
図５は、子機の動作を示すフローチャートである。
子機３は、記憶部３２に記憶されている間欠受信動作パラメータに基づいて一定周期の間欠受信動作（例えば１０秒間の待機状態と３５ミリ秒間の受信動作の繰り返し）を行うように設定されている。
【００３５】
そして、間欠受信動作の受信動作中に同じ無線チャンネルのキャリアが検出されたか否かを判断し（ステップＳＴ１→ＳＴ２）、検出されなかった場合は（ステップＳＴ２：No）、受信動作を終了し、待機状態に戻る。一方、キャリアが検出された場合は（ステップＳＴ２：Yes）、受信した電文に含まれている送信先ＩＤ１０２が自端末の端末ＩＤであるか否に基づき、他端末宛か否かを判断する（ステップＳＴ３、図３：他端末間通信検出手段３１１）。
【００３６】
判断の結果、他端末宛ではない、すなわち自端末宛であった場合は（ステップＳＴ３：No）、通信動作を行い（ステップＳＴ４）、待機状態に戻る。一方、他端末宛であった場合は（ステップＳＴ３：Yes）、段数情報（送信元、送信先）１０３及びルート情報１０４を取得し、スリープ時間テーブル３２１を参照して、スリープ条件に適合するか否かを判断する（ステップＳＴ６、図３：段数情報・ルート情報取得手段３１２、スリープ条件判断手段３１３）。
【００３７】
判断の結果、スリープ条件に適合しない場合は（ステップＳＴ６：No）、受信動作を終了し、待機状態に戻る。一方、スリープ条件に適合する場合は（ステップＳＴ６：Yes）、受信動作を終了し、スリープ時間テーブル３２１で指定されているスリープ時間スリープし（ステップＳＴ７、スリープ制御手段３１４）、スリープ時間の経過後に待機状態に戻る。このスリープ時間中は一定周期の間欠受信動作を行わない。
【００３８】
〈末端子機からセンタ装置への通信の具体例〉
次に末端子機からセンタ装置１への通信の具体例について、図６乃至図１２を参照して説明する。
【００３９】
ここで、図６は、４段目の子機が３段目の子機に電文を送信している時の各端末の動作状態を示す図、図７は、３段目の子機が２段目の子機に電文を送信している時の各端末の動作状態を示す図、図８は、２段目の子機が１段目の子機に電文を送信している時の各端末の動作状態を示す図、図９は、１段目の子機が親機に電文を送信している時の各端末の動作状態を示す図、図１０は、親機がセンタ装置に電文を送信している時の各端末の動作状態を示す図である。また、図１１は、図６から図１０に示されている各端末の動作状態の流れを示すフローチャートであり、図１２は、図６から図１０における各端末の動作を示すシーケンス図である。
【００４０】
《４段目子機から３段目子機への送信》
４段目子機Ｌは３段目子機Ｉを送信先として呼出しを行い、電文を送信する（図６、図１１：シーケンスＳ１、図１２：シーケンスＳ１０１）。３段目子機Ｉは電文を受信し、それが自端末宛であると判断する（図１２：シーケンスＳ３０１）。
【００４１】
このとき、図６に示されているように、送信電波は電文の送信先でない４段目子機Ｋにも届き、キャリアが検出される（図１２：シーケンスＳ２０１）。４段目子機Ｋは、電文中の送信先ＩＤ１０２から他端末同士の通信（他端末間通信）と判断し、電文中の段数情報（送信元、送信先）１０３から、送信元段数：４と送信先段数：３を取得する。そして、スリープ時間テーブル３２１から「４⇒３」に対応するスリープ条件の「自端末段数≧送信先段数」を読み出し、条件に適合すると判断し、「４×ｔ＋ａ」秒間スリープし、間欠受信動作を停止する（図１１：シーケンスＳ２、図１２：シーケンスＳ２０２〜Ｓ２０４）。
【００４２】
なお、ここでは、便宜上、３段目子機Ｉ、４段目子機Ｋの順に動作を記載したが、実際には個別に動作する。以後の各端末の動作についても同様である。
【００４３】
《３段目子機から２段目子機への送信》
３段目子機Ｉは２段目子機Ｅを送信先として呼出しを行い、電文を送信する（図７、図１１：シーケンスＳ３、図１２：シーケンスＳ３０２）。２段目子機Ｅは電文を受信し、それが自端末宛であると判断する（図１２：シーケンスＳ６０１）。
【００４４】
このとき、図７に示されているように、送信電波は電文の送信先でない２段目子機Ｆにも届き、キャリアが検出される（図１２：シーケンスＳ５０１）。２段目子機Ｆは、電文中の送信先ＩＤ１０２から他端末同士の通信と判断し、電文中の段数情報（送信元、送信先）１０３から、送信元段数：３と送信先段数：２を取得する。そして、スリープ時間テーブル３２１から「３⇒２」に対応するスリープ条件の「自端末段数≧送信先段数」を読み出し、条件に適合すると判断し、「３×ｔ＋ａ」秒間スリープし、間欠受信動作を停止する（図１１：シーケンスＳ４、図１２：シーケンスＳ５０２〜Ｓ５０４）。
【００４５】
また、このとき、送信電波は電文の送信先でない３段目子機Ｈにも届き、キャリアが検出される（図１２：シーケンスＳ４０１）。３段目子機Ｈは、電文中の送信先ＩＤ１０２から他端末同士の通信と判断し、電文中の段数情報（送信元、送信先）１０３から、送信元段数：３と送信先段数：２を取得する。そして、スリープ時間テーブル３２１から「３⇒２」に対応するスリープ条件の「自端末段数≧送信先段数」を読み出し、条件に適合すると判断し、「３×ｔ＋ａ」秒間スリープし、間欠受信動作を停止する（図１１：シーケンスＳ５、図１２：シーケンスＳ４０２〜Ｓ４０４）。
【００４６】
このとき、送信電波は電文の送信先でない４段目子機Ｋにも届くが、４段目子機Ｋはスリープ中であるため、キャリア検出などの動作を行わない。スリープ中の端末に多数の小さな点を付与した。また、４段目子機Ｌと３段目子機Ｉとの間の太線は確立された通信ルートを表している。
【００４７】
《２段目子機から１段目子機への送信》
２段目子機Ｅは１段目子機Ｂを送信先として呼出しを行い、電文を送信する（図８、図１１：シーケンスＳ６、図１２：シーケンスＳ６０２）。１段目子機Ｂは電文を受信し、それが自端末宛であると判断する（図１２：シーケンスＳ９０１）。
【００４８】
このとき、図８に示されているように、送信電波は電文の送信先でない１段目子機Ｃにも届き、キャリアが検出される（図１２：シーケンスＳ８０１）。１段目子機Ｃは、電文中の送信先ＩＤ１０２から他端末同士の通信と判断し、電文中の段数情報（送信元、送信先）１０３から、送信元段数：２と送信先段数：１を取得する。そして、スリープ時間テーブル３２１から「２⇒１」に対応するスリープ条件の「自端末段数≧送信先段数」を読み出し、条件に適合すると判断し、「２×ｔ＋ａ」秒間スリープし、間欠受信動作を停止する（図１１：シーケンスＳ７、図１２：シーケンスＳ８０２〜Ｓ８０４）。
【００４９】
また、このとき、送信電波は電文の送信先でない２段目子機Ｄにも届き、キャリアが検出される（図１２：シーケンスＳ７０１）。２段目子機Ｄは、電文中の送信先ＩＤ１０２から他端末同士の通信と判断し、電文中の段数情報（送信元、送信先）１０３から、送信元段数：２と送信先段数：１を取得する。そして、スリープ時間テーブル３２１から「２⇒１」に対応するスリープ条件の「自端末段数≧送信先段数」を読み出し、条件に適合すると判断し、「２×ｔ＋ａ」秒間スリープし、間欠受信動作を停止する（図１１：シーケンスＳ８、図１２：シーケンスＳ７０２〜Ｓ７０４）。
【００５０】
このとき、送信電波は電文の送信先でない３段目子機Ｈ及び２段目子機Ｆにも届くが、これらの端末はスリープ中であるため、キャリア検出などの動作を行わない。
【００５１】
《１段目子機から親機への送信》
１段目子機Ｂは親機２を送信先として呼出しを行い、電文を送信する（図９、図１１：シーケンスＳ９、図１２：シーケンスＳ９０２）。親機２は電文を受信し、それが自端末宛であると判断する（図１２：シーケンスＳ１１０１）。
【００５２】
このとき、図９に示されているように、送信電波は電文の送信先でない１段目子機Ａにも届き、キャリアが検出される（図１２：シーケンスＳ１００１）。１段目子機Ａは、電文中の送信先ＩＤ１０２から他端末同士の通信と判断し、電文中の段数情報（送信元、送信先）１０３から、送信元段数：１と送信先段数：０を取得する。そして、スリープ時間テーブル３２１から「１⇒０」に対応するスリープ条件の「自端末段数≧送信先段数」を読み出し、条件に適合すると判断し、「１×ｔ＋ａ」秒間スリープし、間欠受信動作を停止する（図１１：シーケンスＳ１０、図１２：シーケンスＳ１００２〜Ｓ１００４）。
【００５３】
また、このとき、送信電波は電文の送信先でない１段目子機Ｃ、２段目子機Ｄ、２段目子機Ｆ、及び２段目子機Ｅにも届く。しかし、１段目子機Ｃ、２段目子機Ｄ、及び２段目子機Ｆはスリープ中であり、２段目子機Ｅは通信動作中であるから、いずれもキャリア検出などの動作を行わない。
【００５４】
《親機からセンタ装置への送信》
親機２はセンタ装置１を送信先として呼出しを行い、電文を送信する（図１０、図１１：シーケンスＳ１１、図１２：シーケンスＳ１１０２）。この手順の終了により、４段目子機Ｌとセンタ装置１との間の通信ルートが確立され、データ通信が行われる（図１２：シーケンスＳ１２０１）。
【００５５】
通信ルート確立時に、他端末間通信の電波を受信した子機である４段目子機Ｋ、３段目子機Ｈ、２段目子機Ｆ及びＤ、１段目子機Ｃ及びＡはスリープ状態となっている（図１０、図１１：シーケンスＳ１２、図１２：シーケンスＳ２０４、Ｓ４０４、Ｓ５０４、Ｓ７０４、Ｓ８０４、Ｓ１００４）。そして、この通信ルートでデータ通信が終了した時点で、それらの端末のスリープ時間が満了し、間欠受信動作を再開する（図１１：シーケンスＳ１３）。
【００５６】
以上詳細に説明したように、本発明の実施形態に係る無線通信システムには下記（１）、（２）の特徴がある。
（１）間欠受信動作中に他端末間通信のキャリアを受信した子機は、その通信が終了するまでスリープ状態となり、間欠受信動作を停止するので、他端末間通信の無線キャリア検出の繰り返しを防止し、それに伴う無駄な消費電力を削減することができる。
（２）他端末間通信のキャリアを検出した子機は、他端末間通信が終了するスリープ時間外まで自端末の送信タイミングをずらすことにより、他端末間通信に対する妨害を防止することができる。
【符号の説明】
【００５７】
２…親機、３…子機、３１…制御部、３２…記憶部、３３…無線送受信部、３４…外部Ｉ／Ｆ部、３５…表示部、３６…操作入力部、３７…アンテナ、１０３…段数情報（送信元、送信先）、１０４…ルート情報、３１１…他端末間通信検出手段、３１２…段数情報・ルート情報取得手段、３１３…スリープ条件判断手段、３１４…スリープ制御手段、３２１…スリープ時間テーブル。
【図１】
2019186681.tif 000003
【図２】
2019186681.tif 000004
【図３】
2019186681.tif 000005
【図４】
2019186681.tif 000006
【図５】
2019186681.tif 000007
【図６】
2019186681.tif 000008
【図７】
2019186681.tif 000009
【図８】
2019186681.tif 000010
【図９】
2019186681.tif 000011
【図１０】
2019186681.tif 000012
【図１１】
2019186681.tif 000013
【図１２】
2019186681.tif 000014